(57)【要約】      （修正有）【課題】津波や洪水時に、波にもまれてシェルター全体が回転運動を引き起こしてもその動きが直接内部に伝わることなく、居住空間内の避難者が安全な避難姿勢を保つことができる防災シェルターを提供する。【解決手段】防災シェルター１は、１次前端部１１と１次後端部１２とこれらを接続する断面円形状の１次胴体部１３とから構成され、該胴体部内部の下部におもりを備えると共に該内部に居住空間を設けた１次容器１０と、２次前端部２１と２次後端部２２とこれらを接続する２次胴体部２３とから構成され、該２次胴体部の内部は断面円形状の空洞であり、該２次胴体部が前記１次容器を内包する２次容器２０と、を含み、前記１次前端部に内開きのハッチ１４Ｂを、前記２次前端部に外開きのハッチ２４Ｂを、それぞれ備えた防災シェルターであって、前記１次容器は前記２次胴体部の内部で、該２次胴体部に対して回転し得ることを特徴とする。【選択図】図１
2014151887.tif 000002
【特許請求の範囲】
【請求項１】
１次前端部と１次後端部とこれらを接続する断面円形状の１次胴体部とから構成され、該胴体部内部の下部におもりを備えると共に該内部に居住空間を設けた１次容器と、
２次前端部と２次後端部とこれらを接続する２次胴体部とから構成され、該２次胴体部の内部は断面円形状の空洞であり、該２次胴体部が前記１次容器を内包する２次容器と、
を含み、
前記１次前端部に内開きのハッチを、前記２次前端部に外開きのハッチを、それぞれ備えた防災シェルターであって、
前記１次容器は前記２次胴体部の内部で、該２次胴体部に対して回転し得ることを特徴とする防災シェルター。
【請求項２】
前記１次容器と前記２次容器の間に、該１次容器の回転を円滑化する複数のローラーを備え、該１次容器は前記２次胴体部の内部で前記１次胴体部の断面円周方向に回転し得ることを特徴とする、請求項１に記載の防災シェルター。
【請求項３】
前記１次後端部に内開きのハッチを、前記２次後端部に外開きのハッチを、それぞれ備えた、請求項１又は２に記載の防災シェルター。
【請求項４】
前記２次前端部及び２次後端部を、外に凸の曲面で構成した、請求項１乃至３のいずれか１項に記載の防災シェルター。
【請求項５】
前記２次胴体部に外向きのリブを突設させた、請求項１乃至４のいずれか１項に記載の防災シェルター。
【請求項６】
前記２次容器は載置面を有し、該載置面を介して該２次容器を地面に載置する載置姿勢において、
前記２次容器の壁厚が、前記載置面から遠ざかるにつれて肉薄となる、請求項１乃至５のいずれか１項に記載の防災シェルター。
【請求項７】
前記２次容器の断面外形は、洋ナシ型である、請求項６に記載の防災シェルター。
【請求項８】
前記２次容器の外部の下部に載置台を取り付けた、請求項１乃至５のいずれか１項に記載の防災シェルター。
【発明の詳細な説明】
【技術分野】
【０００１】
本発明は、防災シェルターに関する。
【背景技術】
【０００２】
東日本大震災以降、地震及び津波に対する防災意識は益々高まりつつあり、一方、いわゆるゲリラ豪雨等に由来する洪水への防御も重要性を増している。このような状況下、水災害に備えるための避難設備が、次々と提案されている。
【０００３】
例えば、特許文献１に開示されているような密閉型の浮遊式シェルターも紹介されている。しかしながら、こういったシェルターは、津波や洪水時に、波にもまれてシェルターが回転運動を引き起こした場合、その動きが内部に直接伝わり、居住空間内の避難者が十分な避難姿勢を取れなくなる恐れがあった。
【０００４】
また、特許文献１のシェルターにおいては、避難者の出入り口を１か所しか設置していないため、多人数の乗り降りに時間がかかる上、シェルターが波に流され建造物等に引っかかった際、出入り口が下になって脱出できなくなる恐れがあった。
【０００５】
さらに、特許文献１のシェルターにおいては、シェルターの前端部及び後端部が、平面によって構成されており、水による直接的衝撃や漂流物との衝突による衝撃をまともに受けてしまうという弱点があった。  
【０００６】
【特許文献１】特許第５１１６０６５号公報
【発明の概要】
【発明が解決しようとする課題】
【０００７】
そこで本発明は、津波や洪水時に、波にもまれてシェルター全体が回転運動を引き起こしてもその動きが直接内部に伝わらずに避難者は安全な避難姿勢を保つことができ、多人数の避難者のスムーズな出入りが可能で、外部の多方向からの衝撃に耐え得る防災シェルターを提供することを目的とする。
【課題を解決するための手段】
【０００８】
上記課題を克服すべく、本発明に係る防災シェルターは、１次前端部と１次後端部とこれらを接続する断面円形状の１次胴体部とから構成され、該胴体部内部の下部におもりを備えると共に該内部に居住空間を設けた１次容器と、２次前端部と２次後端部とこれらを接続する２次胴体部とから構成され、該２次胴体部の内部は断面円形状の空洞であり、該２次胴体部は前記１次容器を内包する２次容器と、を含み、前記１次前端部に内開きのハッチを、前記２次前端部に外開きのハッチを、それぞれ備えた防災シェルターであって、前記１次容器は前記２次胴体部の内部で、該２次胴体部に対して回転し得ることを特徴とする。
【０００９】
本発明に係る防災シェルターは、前記１次容器と前記２次容器の間に、該１次容器の回転を円滑化する複数のローラーを備え、該１次容器は前記２次胴体部の内部で前記１次胴体部の断面円周方向に回転し得ることを特徴とする。
【００１０】
本発明に係る防災シェルターは、前記１次後端部に内開きのハッチを、前記２次後端部に外開きのハッチを、それぞれ備えるのが好ましい。
【００１１】
本発明に係る防災シェルターは、前記２次前端部及び前記２次後端部を、外に凸の曲面で構成するのが好ましい。
【００１２】
本発明に係る防災シェルターは、前記２次胴体部に外向きのリブを突設させることが可能である。
【００１３】
本発明に係る防災シェルターは、前記２次容器は載置面を有し、該載置面を介して該２次容器を地面に載置する載置姿勢において、前記２次容器の壁厚が、前記載置面から遠ざかるにつれて肉薄とすることができる。
【００１４】
本発明に係る防災シェルターは、前記２次容器の断面外形は、洋ナシ型であってもよい。
【００１５】
本発明に係る防災シェルターは、前記２次容器の外部の下部に載置台を取り付けてもよい。
【発明の効果】
【００１６】
本発明に係る防災シェルターは、上記のように、１次容器と２次容器の二重構造により、２次容器内部での１次容器の回転を可能とし、１次容器内部におもりを備えることにより、１次容器の平衡を保ち得るため、居住空間内の避難者が安全な避難姿勢を保つことができる。
【００１７】
本発明に係る防災シェルターは、１次容器と２次容器の間に複数のローラーを備えることにより、２次容器内部での１次容器のより円滑な回転を可能とするため、居住空間内の避難者が安全な避難姿勢を保つことができる。
【００１８】
本発明に係る防災シェルターは、１次後端部に内開きのハッチと、２次後端部に外開きのハッチと、をそれぞれ備えることにより、より大人数の避難者のスムーズな乗り降りを可能とし、また、防災シェルターが波に流され建造物等に引っかかった際も、少なくとも１つの出入り口を確保することができる。
【００１９】
本発明に係る防災シェルターは、２次前端部及び２次後端部を、外に凸の曲面で構成することにより、水による直接的衝撃や漂流物との衝突による衝撃を小さくすることが可能となり、居住空間内の避難者の安全に寄与する。
【００２０】
本発明に係る防災シェルターは、２次胴体部に外向きのリブを突設させることにより、２次胴体部の躯体が強化され、居住空間内の避難者の安全に寄与する。
【００２１】
本発明に係る防災シェルターは、２次容器の壁厚を載置面から遠ざかるにつれて肉薄とし、又は２次容器の断面外形を洋ナシ型にすることにより、シェルター全体の重心位置が下がり、２次容器を地面に載置する載置姿勢において、シェルター全体を安定させ、また、水上においてもシェルター全体の安定を促すことができる。
【００２２】
本発明に係る防災シェルターは、２次容器の外部の下部に載置台を取り付けることにより、シェルター全体の重心位置が下がり、２次容器を地面に載置する載置姿勢において、シェルター全体を安定させ、また、水上においてもシェルター全体の安定を促すことができる。
【図面の簡単な説明】
【００２３】
【図１】本発明に係る防災シェルターの斜視図。
【図２】本発明に係る防災シェルターの１次容器の斜視図。
【図３】本発明に係る防災シェルターの正面図（背面図も同形）。
【図４】本発明に係る防災シェルターの横断面図。
【図５】本発明に係る防災シェルターの縦断面図。
【図６】（ａ）本発明に係る防災シェルターの２次容器の横断面概略図（壁厚変化型）、（ｂ）本発明に係る防災シェルターの２次容器の横断面概略図（洋ナシ型）、（ｃ）本発明に係る防災シェルターの２次容器の横断面概略図（載置台型）。
【図７】前後方向にリブを取り付けた本発明に係る防災シェルターの斜視概略図。
【図８】（ａ）本発明に係る防災シェルターのローラーの斜視図、       （ｂ）本発明に係る防災シェルターの拡大縦断面図（２次胴体部）、（ｃ）本発明に係る防災シェルターの拡大縦断面図（２次前端部）、（ｄ）本発明に係る防災シェルターの拡大縦断面図（２次後端部）。
【図９】コロ状ローラーを備えた本発明に係る防災シェルターの斜視概略図。
【発明を実施するための形態】
【００２４】
図１及び図５を参照して、本発明に係る防災シェルター１は、１次前端部１１と１次後端部１２とこれらを接続する断面円形状の１次胴体部１３とから構成され、１次胴体部１３内部の下部におもり３４を備えると共に内部に居住空間３０を設けた１次容器１０と、２次前端部２１と２次後端部２２とこれらを接続する２次胴体部２３とから構成され、２次胴体部２３の内部は断面円形状の空洞であり、２次胴体部２３が１次容器１０を内包する２次容器２０と、を含む。
【００２５】
１次容器１０及び２次容器２０の材質は、鉄又はＦＲＰなどが好適であるが、特に限定されるものではない。また、大きさは例えば６人乗りの場合で、２次容器２０の直径は２４００ｍｍ、全長は３３００ｍｍ程度が好適であるが、利用者の体格、年齢等に合わせて変更できる。
【００２６】
図５を参照して、本発明に係る防災シェルター１は、１次前端部１１に内開きのハッチ１４Ｆを、２次前端部２１に外開きのハッチ２４Ｆを、それぞれ備える。また、１次後端部１２に内開きのハッチ１４Ｂを、２次後端部２２に外開きのハッチ２４Ｂを、それぞれ備えるのが好ましい。
【００２７】
１次容器ハッチ１４（１４Ｆ：１４Ｂ）及び２次容器ハッチ２４（２４Ｆ：２４Ｂ）の材質は、鉄又はＦＲＰなどが好適であるが、特に限定されるものではない。ただし、水密性の高いことが必須である。形状は両者とも、例えば直径６００ｍｍ程度の円形が好ましい。
【００２８】
さらに、１次容器ハッチ１４（１４Ｆ：１４Ｂ）及び２次容器ハッチ２４（２４Ｆ：２４Ｂ）には、図２に示したように、１次容器ハッチ窓１６（１６Ｆ：１６Ｂ）と、図３に示したように、２次容器ハッチ窓２６（２６Ｆ：２６Ｂ）と、をそれぞれ取り付ける。窓の材質は、共に強化ガラス又はポリカーボネートなどが好適であるが、特に限定されるものではない。ただし、水密性の高いことが必須である。
【００２９】
また、２次容器ハッチ窓２６（２６Ｆ：２６Ｂ）については、図３に示したように、外部を金属製の格子２７（２７Ｆ：２７Ｂ）で覆うのが好ましい。
【００３０】
図１及び図５を参照して、本発明に係る防災シェルター１は、１次前端部１１に１次容器ベンチレーター１５Ｆを、２次前端部２１に２次容器ベンチレーター２５Ｆを、１次後端部１２に１次容器ベンチレーター１５Ｂを、２次後端部２２に２次容器ベンチレーター２５Ｂを、それぞれの上部に取り付ける。ベンチレーターの材質は、特に限定されるものではない。ただし、水密性の高いことが必須である。
【００３１】
図５を参照して、本発明に係る防災シェルター１は、２次前端部２１及び２次後端部２２を、外に凸の曲面で構成するのが好ましい。
【００３２】
図１及び図５を参照して、本発明に係る防災シェルター１は、２次胴体部２３に外向きのリブ５０を突設させるのが好ましい。図１及び図５では２次胴体部２３の断面円周方向に３本のリブ５０を示してあるが、本数は特に限定されるものではない。また、図７のように、２次胴体部２３の前後方向に外向きのリブ５０を突設させることも可能である。
【００３３】
図１及び図５を参照して、本発明に係る防災シェルター１は、１次前端部１１と２次前端部２１の間、１次後端部１２と２次後端部２２の間、１次胴体部１３と２次胴体部２３の間、のそれぞれに、複数のローラー４０（４０Ｆ：４０Ｂ：４０Ｍ）を備える。
【００３４】
図８（ａ）が、ローラー４０（４０Ｆ：４０Ｂ：４０Ｍ）の斜視図である。図５及び図８（ｂ）を参照して、２次胴体部２３の内部にローラー４０Ｍを取り付ける。同様に、図５及び図８（ｃ）を参照して、２次前端部２１の内部にローラー４０Ｆを、図５及び図８（ｄ）を参照して、２次後端部２２の内部にローラー４０Ｂを、それぞれ取り付ける。
【００３５】
図１、図３及び図４を参照して、ローラー４０Ｍは、リブ５０それぞれに８個取り付けるように図示してあるが、個数は特に限定されるものではない。また同様に、図１及び図３を参照して、ローラー４０Ｆ及び４０Ｂは、それぞれ４個取り付けるように図示してあるが、個数は特に限定されるものではない。
【００３６】
図９に示したように、例えば、２次胴体部２３の前後方向に細長いコロ状のローラー４１を取り付けることも可能である。図９では、一例として６本のコロ状ローラー４１を取り付けた状態を示してある。
【００３７】
あるいは、ローラー４０Ｍ又はコロ状ローラー４１を使わずに、１次胴体部１３と２次胴体部１４の間に、ジェル状の素材を充填して潤滑性を保つことも可能である。
【００３８】
図６（ａ）を参照して、本発明に係る防災シェルター１は、２次容器２０は載置面７０を有し、載置面７０を介して２次容器２０を地面１００に載置する載置姿勢において、２次容器２０の壁厚が、載置面７０から遠ざかるにつれて肉薄とすることができる。ここで、壁厚とは、図６（ａ）の矢印で挟まれた部分の厚さを指す。
【００３９】
本発明に係る防災シェルター１は、図６（ｂ）を参照して、２次容器２０の断面外形は、洋ナシ型であってもよく、図６（ｃ）を参照して、２次容器２０の外部の下部に載置台６０を取り付けてもよい。載置台６０の材質は、特に限定されるものではない。  
【００４０】
図２及び図４を参照して、本発明に係る防災シェルター１は、１次容器１０の内部の下部に間仕切り板３３を設け、居住空間３０の床面とする。さらに、間仕切り板３３の下におもり３４を備える。
【００４１】
図２及び図４を参照して、本発明に係る防災シェルター１は、例えば、居住空間３０内の間仕切り板３３の上部の適当な位置に前後方向２列の向かい合った座席３１を設け、座席３１の下を荷物室兼食料庫３２とすることができる。座席と座席の間は、通路３５とし、就寝時はテーブル状家具３６を上下返して、座席３１とフラットにすることができる。
【００４２】
図５を参照して、本発明に係る防災シェルター１は、１次容器１０の内部の下部に備えるおもり３４については、１次容器１０を平衡に保つのに十分な重さのものであれば、材質は特に限定されず、例えば、安価な土砂を詰めた土嚢でもよい。
【００４３】
以上、本発明に係る防災シェルターについて説明したが、本発明は上記実施形態に限定されるものではない。また、上記実施形態において、その他の構成要素を含んでもよい。
【００４４】
その他、本発明は、その主旨を逸脱しない範囲で当業者の知識に基づき種々の改良、修正、変更を加えた態様で実施できるものである。
【産業上の利用可能性】
【００４５】
本発明に係る防災シェルターは、個人住宅のみならず、病院や介護施設等の公共施設においても設置し、利用することができる。
【符号の説明】
【００４６】
１： 防災シェルター
１０：１次容器
１１：１次前端部
１２：１次後端部
１３：１次胴体部
１４（１４Ｆ：１４Ｂ）：１次容器ハッチ
１５（１５Ｆ：１５Ｂ）：１次容器ベンチレーター
１６（１６Ｆ：１６Ｂ）：１次容器ハッチ窓
２０：２次容器
２１：２次前端部
２２：２次後端部
２３：２次胴体部
２４（２４Ｆ：２４Ｂ）：２次容器ハッチ
２５（２５Ｆ：２５Ｂ）：２次容器ベンチレーター
２６（２６Ｆ：２６Ｂ）：２次容器ハッチ窓
２７（２７Ｆ：２７Ｂ）：格子
３０：居住空間
３１：座席
３２：荷物室兼食料庫
３３：間仕切り板
３４：おもり
３５：通路
３６：テーブル状家具
４０（４０Ｆ：４０Ｂ：４０Ｍ）：ローラー
４１：コロ状ローラー
５０：リブ
６０：載置台
７０：載置面
１００：地面
【図１】
2014151887.tif 000003
【図２】
2014151887.tif 000004
【図３】
2014151887.tif 000005
【図４】
2014151887.tif 000006
【図５】
2014151887.tif 000007
【図６】
2014151887.tif 000008
【図７】
2014151887.tif 000009
【図８】
2014151887.tif 000010
【図９】
2014151887.tif 000011